(57)【要約】【課題】アームレストの使用時、収納時を問わず車室内空気の浄化を行なうことができる車両用空気清浄器を提供すること。【解決手段】アームレスト使用時に車室内空気を吸い込む第１吸込口１５と、アームレスト収納時に車室内空気を吸い込む第２吸込口１７とをアームレスト１に設ける。第１吸込口１５は、使用時のアームレスト１の側面１４、前面１８又は上面１９に設けられ、また、第２吸込口１７は、使用時のアームレスト１の下面１６に設けられている。【選択図】図２
2004352160.tif 000002
【特許請求の範囲】
【請求項１】
アームレスト使用時に車室内空気を吸い込む第１吸込口と、アームレスト収納時に車室内空気を吸い込む第２吸込口とをアームレストに設けたことを特徴とする車両用空気清浄器。
【請求項２】
前記第１吸込口は、使用時のアームレストの側面、前面又は上面に設けられ、また、前記第２吸込口は、使用時のアームレストの下面に設けられていることを特徴とする請求項１記載の車両用空気清浄器。
【発明の詳細な説明】
【０００１】
【発明の属する技術分野】
本発明は、車室内の空気を浄化するための空気清浄器に関する。
【０００２】
【従来の技術】
従来、車両用空気清浄器として、アームレストに空気吸込口を設けたものが知られている（例えば、特許文献１参照）。
【０００３】
【特許文献１】
特開平３−１２５６２３号公報（第１，２，３図）
【０００４】
【発明が解決しようとする課題】
しかし、上記従来の空気清浄器は、アームレストの使用時に空気の浄化を行なうことを目的としており、使用時のアームレストの上面又は前面から車室内の空気を吸い込み、後部シートの着座部やアームレストの下面から浄化した空気を車室内に吐き出すよう構成されている。このため、アームレストを後部シートの背もたれ部に形成された凹部に収納した収納時には、空気吸込口が凹部の壁面で塞がれ車室内空気を吸い込めなくなり、車室内空気の浄化を行なえないという問題があった。
【０００５】
本発明は、上記のような従来技術の問題点を解決し、アームレストの使用時、収納時を問わず車室内空気の浄化を行なうことができる車両用空気清浄器を提供することを目的とする。
【０００６】
【課題を解決するための手段】
請求項１に係る車両用空気清浄器によると、アームレスト使用時に車室内空気を吸い込む第１吸込口と、アームレスト収納時に車室内空気を吸い込む第２吸込口とをアームレストに設けたため、アームレストの使用時、収納時を問わず車室内空気の浄化を行なうことができるようになる。
【０００７】
第１吸込口は、アームレストの使用時に外部に露出するアームレストの側面、前面又は上面に設けられ、また、第２吸込口は、アームレストの収納時に外部に露出する面、つまり、使用時のアームレストの下面に設けられる。
【０００８】
【発明の実施の形態】
以下、本発明の実施形態を図面に基づいて説明する。
【０００９】
図１は、本発明の一実施形態に係る車両用空気清浄器が組み込まれた後部シートの正面図であってアームレスト収納時の正面図、図２は、アームレスト収納時の後部シートの側面図、図３は、アームレスト使用時の後部シートの正面図、図４は、アームレスト使用時の後部シートの側面図をそれぞれ示す。
【００１０】
図１〜図４において、アームレスト１は、収納時には、図１及び図２に示すように、後部シート２の背もたれ部３の中央に設けられた凹部４にすっぽり嵌まるように収納され、使用時には、図３及び図４に示すように、凹部４から前方へ倒し後部シート２の着座部５の着座面５ａに載せるようにして使用される。
【００１１】
アームレスト１の内部には空気通路１１が形成されており、この空気通路１１に、車室内空気取入のためのファン１２及び空気浄化のためのフィルタ１３が配設されている。また、使用時のアームレスト１の側面１４には、アームレスト使用時に車室内空気を吸い込むための第１吸込口１５が形成され、また、使用時のアームレスト１の下面１６には、アームレスト収納時に車室内空気を吸い込むための第２吸込口１７が形成されている。なお、図示していないが、第１吸込口１５は、使用時のアームレスト１の前面１８又は上面１９に設けるようにしてもよい。
【００１２】
アームレスト内部の空気通路１１の出口には、蛇腹ダクト２０が接続されている。蛇腹ダクト２０は、後部シート２の着座部５の内部に配管され、先端は着座部前面５ｂの吐出口２１まで至っている。
【００１３】
次に、車両用空気清浄器の動作を説明する。
【００１４】
アームレスト１の使用時には、ファン１２を回転させると、車室内空気が第１吸込口１５からアームレスト内部に吸い込まれ、フィルタ１３によって浄化される。浄化された空気は蛇腹ダクト２０を通って後部シート２の着座部５の前面５ｂの吐出口２１から前方へ吐き出される。なお、アームレスト１の使用時、第２吸込口１７は、後部シート２の着座部５の着座面５ａによって塞がれるようになるため、車室内空気の吸い込みは行なわない。
【００１５】
また、アームレスト１の収納時には、ファン１２を回転させると、車室内空気が第２吸込口１７からアームレスト内部に吸い込まれ、フィルタ１３によって浄化される。浄化された空気は蛇腹ダクト２０を通って吐出口２１から前方へ吐き出される。なお、アームレスト１の収納時、第１吸込口１５は後部シート２の背もたれ部３の凹部４の壁面によって塞がれるようになるため、車室内空気の吸い込みは行なわない。
【００１６】
なお、図５及び図６に示すように、吐出口２２ａ、２２ｂをアームレスト１自体に設け、アームレスト使用時には吐出口２２ａから空気を吹出し、アームレスト収納時には吐出口２２ｂから空気を吹出すようにしてもよい。
【００１７】
以上説明したように、本実施形態に係る車両用空気清浄器は、アームレスト使用時に車室内空気を吸い込む第１吸込口１５と、アームレスト収納時に車室内空気を吸い込む第２吸込口１７とをアームレスト１に設けたため、アームレスト１の使用時、収納時を問わず車室内空気の浄化を行なうことができるようになる。なお、上記実施形態では、アームレスト１の内部にフィルタ１３を配置した例を示したが、フィルタ１３の代わりに、電気集塵器、マイナスイオン発生器又は光触媒などを配置するようにしてもよい。また、吐出口２１は、アームレスト自体に設けるようにしてもよい。
【００１８】
【発明の効果】
本発明の車両用空気清浄器によると、アームレストの使用時、収納時を問わず車室内空気の浄化を行なうことができるようになる。
【図面の簡単な説明】
【図１】本発明の一実施形態に係る車両用空気清浄器が組み込まれた後部シートの正面図であってアームレスト収納時の正面図である。
【図２】アームレスト収納時の後部シートの側面図である。
【図３】アームレスト使用時の後部シートの正面図である。
【図４】アームレスト使用時の後部シートの側面図である。
【図５】他の実施形態に係る車両用空気清浄器が組み込まれた後部シートの側面図であってアームレスト使用時の側面図である。
【図６】アームレスト収納時の後部シートの側面図である。
【符号の説明】
１    アームレスト
１４    側面
１５    第１吸込口
１６    下面
１７    第２吸込口
１８    前面
１９    上面
【図１】
2004352160.tif 000003
【図２】
2004352160.tif 000004
【図３】
2004352160.tif 000005
【図４】
2004352160.tif 000006
【図５】
2004352160.tif 000007
【図６】
2004352160.tif 000008